(57)【要約】【課題】内部にノートパソコン又はデジタルカメラ，ビデオカメラ等のオーディオ・ビジュアル機器等を出し入れし易く収納することができると共に、持ち運び等において極めて扱い易くした多目的バッグを提供すること。【解決手段】  バッグ本体Ａと、バッグ本体Ａの両収納側部１ａに設けられた手提げ部４と、前記バッグ本体Ａの開口部で且つ収納側部１ａ内方に前記手提げ部４の付根部が位置するとともに、手提げ部４が前記バッグ本体Ａ上方に位置した状態で、前記収納側部１ａ内面と前記手提げ部４の付根部付近とを着脱自在に接合する接合具５とからなること。一方側の収納側部１ａには前記雄形接合部５ａが装着される共に手提げ部４には雌形接合部５ｂが装着され、他方側の収納側部１ａには雌形接合部５ｂが装着されると共に手提げ部４には雄形接合部５ａが装着されること。【選択図】  図１
2006082660.tif 000002
【特許請求の範囲】
【請求項１】
２つの収納側部が対向して構成されたバッグ本体と、前記両収納側部にそれぞれ設けられた手提げ部と、前記バッグ本体の開口部で且つ収納側部内方に前記手提げ部の付根部が位置するとともに、前記手提げ部が前記バッグ本体上方に位置した状態で、前記収納側部内面と前記手提げ部の付根部付近とを着脱自在に接合する接合具とからなり、該接合具は、雄形接合部と雌形接合部とが一対となる構成とし、一方側の収納側部には前記雄形接合部が装着されるとともに手提げ部には雌形接合部が装着され、他方側の収納側部には雌形接合部が装着されるとともに手提げ部には雄形接合部が装着されてなることを特徴とする多目的バッグ。
【請求項２】
請求項１において、前記バッグ本体は緩衝性を有する材質から形成されてなることを特徴とする多目的バッグ。
【請求項３】
請求項１又は２において、前記収納側部は、外皮部と内皮部の２層からなるものとし、前記外皮部と内皮部との間には緩衝材が配置されてなることを特徴とする多目的バッグ。
【請求項４】
請求項１又は２において、前記接合具は、ホックとしてなることを特徴とする多目的バッグ。
【請求項５】
請求項１又は２において、前記接合具は、布ファスナとしてなることを特徴とする多目的バッグ。
【発明の詳細な説明】
【技術分野】
【０００１】  本発明は、バッグ本体の内部にノートパソコン又はデジタルカメラ，ビデオカメラ等のオーディオ・ビジュアル機器等を出し入れし易く収納することができると共に、持ち運び等において極めて扱い易くした多目的バッグに関する。
【背景技術】
【０００２】  近年、ノートパソコンの性能が向上し、且つ小型軽量化されるに伴い、仕事にノートパソコンを携帯することが多い。さらに、仕事以外においても趣味，娯楽として、ノートパソコンや、デジタルカメラ或いはデジタルビデオカメラ等のオーディオ，ビジュアル機器等を使用することが一般的となり、これらを持ち歩く機会が増えている。このようなことからノートパソコンや携帯のオーディオ，ビジュアル機器を収納するバッグもこれらのサイズに合わせて、販売されている。特に、ノートパソコンの収納バッグの１例として、特許文献に開示されたものが存在している。また、一般的なノートパソコンの収納バッグも、下記特許文献に示されたデザインのものが多い。
［特許文献１］特開平１１−３１３７０９号  ところで、上記特許文献１に示されたものは、アタッシュケース又はトランク形状のように箱型である。これらのものは、その形状がビジネス仕様のものである。したがって、ノートパソコンやデジタルカメラ等を仕事に使用する場合には、このようなビジネス仕様のもので適正且つ十分である。しかしながら、前述したように、ノートパソコンやデジタルカメラ等のオーディオ，ビジュアル機器を趣味，娯楽として使用するには、ビジネス仕様の収納バッグでは、カジュアルな雰囲気に馴染むことができない。それゆえに、趣味，娯楽にノートパソコンを持ち歩く状況では、このようなビジネス仕様の収納バッグは、敬遠される。【０００３】  そこで、通常のカジュアルなバッグにノートパソコンやオーディオ，ビジュアル機器を収納することが考えられるが、通常のトートバッグに収納する場合に、特にノートパソコンを安定した状態で収納することが困難である。特に高価なノートパソコンやオーディオ，ビジュアル機器を他の雑貨品と一緒に収納すると、これらの精密機器に傷が付いたりするおそれも十分にある。さらに、ノートパソコンが邪魔になって、その他のものを収納しにくいといった問題も生じる。本発明の目的は、カジュアルな状況において、ノートパソコンやオーディオ，ビジュアル機器を持ち歩くのに好適な多目的バッグを提供することにある。
【発明の開示】
【０００４】  そこで、発明者は、上記課題を解決すべく、鋭意，研究を重ねた結果、請求項１の発明は、２つの収納側部が対向して構成されたバッグ本体と、前記両収納側部にそれぞれ設けられた手提げ部と、前記バッグ本体の開口部で且つ収納側部内方に前記手提げ部の付根部が位置するとともに、前記手提げ部が前記バッグ本体上方に位置した状態で、前記収納側部内面と前記手提げ部の付根部付近とを着脱自在に接合する接合具とからなり、該接合具は、雄形接合部と雌形接合部とが一対となる構成とし、一方側の収納側部には前記雄形接合部が装着されるとともに手提げ部には雌形接合部が装着され、他方側の収納側部には雌形接合部が装着されるとともに手提げ部には雄形接合部が装着されてなる多目的バッグとしたことにより、上記課題を解決した。
【０００５】  請求項２の発明は、前述の構成において、前記バッグ本体は緩衝性を有する材質から形成されてなる多目的バッグとしたことにより、上記課題を解決した。請求項３の発明は、前述の構成において、前記収納側部は、外皮部と内皮部の２層からなるものとし、前記外
皮部と内皮部との間には緩衝材が配置されてなる多目的バッグとしたことにより、上記課題を解決した。次に、請求項４の発明は、前述の構成において、前記接合具は、ホックとしてなる多目的バッグとしたことにより、上記課題を解決したものである。次に、請求項５の発明は、前述の構成において、前記接合具は、布ファスナとしてなる多目的バッグとしたことにより、上記課題を解決したものである。
【０００６】  次に、発明の効果については、請求項１の発明によれば、バッグ本体の手提げは、バッグ本体内部に収納して使用する場合には、手提げ部の付根部箇所がバッグ本体の開口部の出し入れの妨げにならないようにすることができる。また本発明をトートバッグとして使用する場合には、接合具を介して手提げ部の付根部箇所を強固且つ安定した状態にすることができる。次に、請求項２の発明は、バッグ本体は緩衝性を有する材質から形成されることで、収納したノートパソコン，カメラ，ビデオカメラ等の精密機械類を衝撃から保護することができる。
【０００７】  次に、請求項３の発明は、前記収納側部は、外皮部と内皮部によって２層構造とし、緩衝材が配置されているので、バッグ本体をより一層衝撃に強い構成とすることができる。請求項４の発明は、前記接合具は、ホックとしたことで、開閉が簡易且つ迅速にできる。請求項５の発明は、接合具は、布ファスナとしたことで、バッグ本体内へのノートパソコン，カメラ，ビデオカメラ等の出入れ時に傷を付けることを防止できる。
【図面の簡単な説明】
【０００８】［図１］ノートパソコンを収納した状態の本発明の斜視図である。
［図２Ａ］本発明の斜視図である。
［図２Ｂ］本発明の正面図である。
［図３Ａ］本発明の縦断側面図である。
［図３Ｂ］図３Ａのａ部拡大図である。
［図４］バッグ本体の開口部を開いた状態の要部斜視図である。
［図５］本発明の要部斜視図である。
［図６Ａ］バッグ本体の開口部を開いた状態の要部縦断側面図である。
［図６Ｂ］バッグ本体の開口部を閉じた状態の要部縦断側面図である。
［図７Ａ］接合具に布ファスナを使用した要部斜視図である。
［図７Ｂ］接合具に布ファスナを使用した要部縦断側面図である。
［図８］手提げ部を収納して本発明を使用する状態の斜視図である。
【符号の説明】
【０００９】Ａ…バッグ本体、１ａ…収納側部、１ａ１…外皮部、１ａ２…内皮部、１ｂ…開口部、
３…緩衝材、４…手提げ部、４ａ…付根部、５…接合具、５ａ…雄形接合部、
５ｂ…雌形接合部。
【発明を実施するための最良の形態】
【００１０】  以下、本発明の実施形態を図面に基づいて説明する。本発明は、主に、バッグ本体Ａと、手提げ部とから構成される。バッグ本体Ａの本体収納部１は、特に、ノートパソコンを収納可能な大きさであり、一般のノートパソコンのサイズに合わせて形成される。したがって、比較的小型のノートパソコン及び大型のノートパソコン等に合わせて種々のサイズが存在する。【００１１】  さらに、収納されるものとして上記ノートパソコン以外にデジタルカメラ、ビデオカメラ等のオーディオ・ビジュアル機器等を収納することができるサイズとすることもある。そのバッグ本体Ａにおける本体収納部１を構成する生地の素材は、布地，革，化学（合成樹脂）繊維或いは紙等である。その本体収納部１には、図１，図２Ａ示すように、上部側
に物の出し入れを行う開口部１ｂが設けられる。【００１２】  そのバッグ本体Ａの本体収納部１は、図３Ａに示すように、２つの収納側部１ａ，１ａが対向して、その周辺が縫合されて袋体を構成している。この２枚の収納側部１ａ，１ａによって構成された袋体は、略方形状又は長方形状として形成されている。この２つの収納側部１ａ，１ａは、１枚の生地を２つ折りとし、その対向する２辺が縫合されることによって袋体が構成されたり、または２つの収納側部１ａ，１ａは、それぞれ独立した２枚の生地を重ね合わせて周囲が縫合されて袋体が構成され、バッグ本体Ａの本体収納部１が構成されるものである。【００１３】  このようにして、構成されたバッグ本体Ａは、ノートパソコンを収納することに適した形状となる。また、前記収納側部１ａは、図３Ａ，図３Ｂに示すように、外皮部１ａ１と内皮部１ａ２の２層構造とすることもある。この場合には、その外皮部１ａ１が前記本体収納部１の外面側を構成し、内皮部１ａ２が本体収納部１の内面側を構成する。前記外皮部１ａ１は、比較的厚い生地が使用される。【００１４】  また、前記内側生地部１ｂは、本体収納部１の内面側を構成するので、その生地は、柔らかく且つノートパソコンに傷を付けないような優しい表面のものを使用することが好ましい。具体的には、ナイロン等が好適である。上述したように、前記収納側部１ａが外皮部１ａ１と内皮部１ａ２との２つから構成される場合には、予め収納側部１ａを２層構成として、本体収納部１を構成することができるし、或いは外皮部１ａ１と内皮部１ａ２とをそれぞれ別々にして袋体を構成し、両袋体を重合させるようにして、本体収納部１を構成することもできる。その外皮部１ａ１と内皮部１ａ２との間には、緩衝材３が配置される実施形態が存在する。該緩衝材３は、ウレタン，スポンジ，綿等のクッション性のある素材が使用される。この緩衝材３は、ノートパソコンを衝撃から保護するものである。【００１５】  次に、手提げ部４は、図１，図２Ａ，図２Ｂ，図４，図５等に示すように、バッグ本体Ａの本体収納部１の内側となるようにして、２つの収納側部１ａ，１ａにそれぞれ装着されている。前記手提げ部４は、バッグ本体Ａを吊り下げるようにして持ち上げたときに、図１，図２Ａ，図２Ｂに示すように、略逆Ｕ字形状となるタイプのものである。その手提げ部４を形成する生地は、平帯形状のもので、耐久性があり且つ柔軟性のある厚手のものが好適である。その手提げ部４が前記バッグ本体Ａの開口部１ｂで、且っ収納側部１ａの内方に位置する箇所に縫合される。【００１６】  この手提げ部４において、バッグ本体Ａの本体収納部１に縫合された箇所を付根部４ａと称する。その手提げ部４は、図３Ａ，図３Ｂ，図４に示すように、前記付根部４ａ箇所を中心にして折り返し自在となるように構成される。それぞれの手提げ部４が本体収納部１に装着される場合には、図２Ａ，図２Ｂに示すように、その手提げ部４を略Ｕ字形状として、該手提げ部４が略Ｕ字形状のままで本体収納部１に収納された状態とし、その両端を折り返さずに、該両端箇所を収納側部１ａに縫合することが好ましい。これは、後述するように手提げ部４，４をバッグ本体Ａの本体収納部１内に収��し、図８に示すように、手提げ部４，４を使用しないでバッグ本体Ａのみで使用する場合に、その手提げ部４，４をバッグ本体Ａ内に収納し易いためである。【００１７】  その手提げ部４をバッグ本体Ａの本体収納部１に装着したときの前記付根部４ａの位置は、前記本体収納部１の開口部１ｂ端縁から僅かに本体収納部１の底面に向かって下がった箇所である。すなわち、本体収納部１の開口部１ｂ端縁と付根部との間に後述する接合具５が装着されるスペースを必要とするためである。そして、前記手提げ部４の付根部４ａが前記バッグ本体Ａ上方に位置させた状態で、前記収納側部１ａ内面と前記手提げ部４の付根部４ａ付近とを着脱自在に接合する接合具５が設けられる。【００１８】  その接合具５は、図３Ａ，図３Ｂ，図４，図５及び図６Ａ，Ｂに示すように、雄形接合部５ａと雌形接合部５ｂとから構成され、これら雄形接合部５ａと雌形接合部５ｂとが一対となって使用される。このような接合具５としては、ホック及び布ファスナが存在する。その接合具５をホックとしたものが図１乃至図６等に示されており、具体的には、雄形接合部５ａが凸形状であり、雌形接合部５ｂが凹形状である。【００１９】  そして、バッグ本体Ａの一方側の収納側部１ａの内面側にその雄形接合部５ａのホックが装着され、その一方側の収納側部１ａに装着された手提げ部４の付根部４ａ付近に雌形接合部５ｂのホックが装着されている。また、他方側の収納側部１ａの内面側にその雌形接合部５ｂのホックが装着され、その他方側の収納側部１ａに装着された手提げ部４の付根部４ａ付近に雄形接合部５ａのホックが装着されている。【００２０】  その接合具５を上記の構成にして、前記バッグ本体Ａ側のホックと両手提げ部４，４側のホックとを接合することにより、図１，図２Ａ，図２Ｂ等に示すように、手提げ部４，４にてバッグ本体Ａを吊り下げる状態とし、通常のトートバッグとして使用することができる。このとき、手提げ部４を付根部４ａから折り返し状態に折り曲げて前記接合具５の雄形接合部５ａと雌形接合部５ｂとを嵌合又は係止等の手段にて接合固定する。これによって、手提げ部４は、その付根部４ａと接合具５の２箇所にて、バッグ本体Ａ（本体収納部１）の収納側部１ａ内面と固定状態となり、ノートパソコン等の収納物を安定した状態で持ち歩くことができる。【００２１】  さらに、接合具５の雄形接合部５ａ及び雌形接合部５ｂを外すことにより、前記付根部４ａから手提げ状態とした手提げ部４を本体収納部１内に収納した場合に付根部４ａ箇所には折り返し部分が形成されないので大きな膨らみが残らず、図３Ａ，図３Ｂに示すように、前記付根部４ａ箇所は略平坦状なものとなり、バッグ本体Ａの開口部１ｂを閉じ易く、両収納側部１ａ，１ａ同士を略密着状に合わせ易いものにすることができる。さらに、前述したように、一方側の収納側部１ａの内面側にその雄形接合部５ａのホックが装着され、他方側の収納側部１ａに装着された手提げ部４の付根部４ａ付近に雄形接合部５ａのホックが装着されるようにすることで、前記接合具５は、バッグ本体Ａの開口部１ｂを閉じた状態を維持する役目もなすものである。【００２２】  また、図７Ａ，図７Ｂに示すように、前記接合��５を布ファスナとしたものでは、雄形接合部５ａが鉤形起毛部となり、雌形接合部５ｂがループ形起毛部となる。この布ファスナタイプの接合具５も、前記ホックタイプの接合具５と同様にバッグ本体Ａの本体収納部１及び手提げ部４，４に装着されるものである。また、手提げ部４，４をバッグ本体Ａに収納した状態で使用する場合には、図８に示すように、前記バッグ本体Ａの上方箇所の適宜の位置で折り曲げて使用することができる。このようにして使用するときには、バッグ本体Ａにノートパソコン以外のものデジタルカメラやデジタルオーディオ機器等の比較的小物類を収納する場合が多い。
【図１】
2006082660.tif 000003
2006082660.tif 000004
2006082660.tif 000005
2006082660.tif 000006
2006082660.tif 000007
【図４】
2006082660.tif 000008
【図５】
2006082660.tif 000009
2006082660.tif 000010
2006082660.tif 000011
【図８】
2006082660.tif 000012
【手続補正書】
【提出日】平成18年9月4日(2006.9.4)
【手続補正１】
【補正対象書類名】特許請求の範囲
【補正対象項目名】請求項１
【補正方法】変更
【補正の内容】
【請求項１】
２つの収納側部が対向して構成されたバッグ本体と、前記両収納側部にそれぞれ設けられた手提げ部と、前記バッグ本体の開口部で且つ収納側部内方に前記手提げ部が略Ｕ字形状のままで本体収納部に収納された状態とし、その両端を折り返さずに縫合された前記手提げ部の付根部が位置するとともに、前記手提げ部が前記バッグ本体上方に位置した状態で、前記収納側部内面と前記手提げ部の付根部付近とを着脱自在に接合する接合具とからなり、該接合具は、雄形接合部と雌形接合部とが一対となる構成とし、一方側の収納側部には前記雄形接合部が装着されるとともに手提げ部には雌形接合部が装着され、他方側の収納側部には雌形接合部が装着されるとともに手提げ部には雄形接合部が装着されてなることを特徴とする多目的バッグ。
【手続補正２】
【補正対象書類名】明細書
【補正対象項目名】０００４
【補正方法】変更
【補正の内容】
【０００４】
そこで、発明者は、上記課題を解決すべく、鋭意, 研究を重ねた結果、請求項１の発明は、２つの収納側部が対向して構成されたバッグ本体と、前記両収納側部にそれぞれ設けられた手提げ部と、前記バッグ本体の開口部で且つ収納側部内方に前記手提げ部が略Ｕ字形状のままで本体収納部に収納された状態とし、その両端を折り返さずに縫合された前記手提げ部の付根部が位置するとともに、前記手提げ部が前記バッグ本体上方に位置した状態で、前記収納側部内面と前記手提げ部の付根部付近とを着脱自在に接合する接合具とからなり、該接合具は、雄形接合部と雌形接合部とが一対となる構成とし、一方側の収納側部には前記雄形接合部が装着されるとともに手提げ部には雌形接合部が装着され、他方側の収納側部には雌形接合部が装着されるとともに手提げ部には雄形接合部が装着されてなる多目的バッグとしたことにより、上記課題を解決した。
【国際調査報告】
2006082660.tif 000013
2006082660.tif 000014
2006082660.tif 000015
2006082660.tif 000016